(57)【要約】【課題】体裁が良好で脱臭効率ないし脱臭作業効率が高い脱臭機を提供する。【解決手段】手押し車２と；この手押し車の下部に搭載されて、本体吸込口３ａ１から空気を吸い込み、その吸込空気を脱臭する脱臭装置を内蔵する脱臭機本体３と；この脱臭機本体よりも上方の手押し車の上部に搭載されて、上記脱臭機本体の本体吸込口に連通し、空気を吸い込む吸込口を有する吸込部４と；を具備している。【選択図】  図１
2005185696.tif 000002
【特許請求の範囲】
【請求項１】
移動手段が設けられた台車と；
この台車の下部に搭載されて、本体吸込口から空気を吸い込み、その吸込空気を脱臭する脱臭装置を内蔵する脱臭機本体と；
この脱臭機本体よりも上方の台車の上部に搭載されて、上記脱臭機本体の本体吸込口に連通し、空気を吸い込む吸込口を有する吸込部と；
を具備していることを特徴とする脱臭機。
【請求項２】
上記吸込部は、上記本体吸込口に対し、その中心軸回りに回転可能に構成された吸気ダクトを具備していることを特徴とする請求項１記載の脱臭機。
【請求項３】
上記本体吸込口は、延長管を介して上記吸気ダクトに接続され、この吸気ダクトに接続される当該延長管の接続端部は、上記台車の長手方向の両端部側に、それぞれ配設されていることを特徴とする請求項２記載の脱臭機。
【請求項４】
上記吸込部は、その吸込口近傍にて吸気ファンを配設していることを特徴とする請求項１〜３のいずれか一記載の脱臭機。
【請求項５】
上記吸込口部は、
その吸気口端部に設けた椀状のフードと；
このフードの開口端にその周方向に回動可能に装着されて、この開口端から垂下し、このフードの周方向一部側を覆うカバーと；
を具備していることを特徴とする請求項１〜４のいずれか一記載の脱臭機。
【発明の詳細な説明】
【技術分野】
【０００１】
本発明は病院や高齢者看護施設等においてスポット脱臭（局所脱臭）する場合に好適な脱臭機に関する。
【背景技術】
【０００２】
近年、高齢者の増加に伴なって高齢者看護施設が増加しており、その施設内での悪臭、異臭の問題が大きな問題となっている。
【０００３】
特に、おむつ装着者をベッドで寝かせたままの状態でおむつ交換する際の排泄物の臭いが大きな問題になっている。複数のおむつ装着者がいる、いわゆる大部屋では、おむつ交換作業者の他、隣のベッドのおむつ装着者に悪臭が拡散し、不快感を与えるという問題がある。
【０００４】
これに対し、従来の空気清浄器や脱臭機では比較的広い領域の空気を吸い込んで脱臭するものが殆どで、吸引する空気の量が多いために、圧損が大きい。このために、その圧損を低減するように活性炭などのフィルターを薄くしてある。しかし、これでは、急激な臭いが局所的に放出される場合には脱臭効果が殆ど得られず、上記のようなおむつ交換時の局所的な悪臭の脱臭には適していなかった。
【０００５】
そこで、最近では、おむつ装着者のベッドの脇に置かれて、臭いの発生源を局所的に脱臭する脱臭装置が提案されている（例えば特許文献１，２参照）。
【特許文献１】特開２０００−５２４２号公報
【特許文献２】特開２０００−１５７６１７号公報
【発明の開示】
【発明が解決しようとする課題】
【０００６】
しかしながら、特許文献１記載の脱臭装置では、おむつ装着者のベッドの脇に設置できるものの、脱臭装置自体は移動できないので、大部屋等で多数のおむつ装着者のおむつ交換時に効率的に使用できないという課題がある。
【０００７】
また、特許文献２記載の臭気処理装置では、これを台車に載せるので、移動することはできるものの、おむつ装着者の横から臭気を吸い込むので、おむつ装着者の体温により主に上方に昇流する臭気を効率良く吸い込むことができず、脱臭効率が低いという課題がある。
【０００８】
また、おむつ交換時には新たなおむつおよびおむつ装着者の身体を拭くタオル等の交換用備品やその他薬品等の用品を同時に使用することとなるが、台車の上部に臭気処理装置を載せていると、台車上部のスペースが無くなってしまうので、交換用備品および備品等を取り扱う作業効率が悪くなる虞もある。
【０００９】
さらに、単に臭気処理装置を台車の上部に載せているだけであるので、ベッドで寝ているおむつ装着者と臭気処理装置との高さ方向の位置が近くなることが多く、そのようになると臭気処理装置の駆動音が直接おむつ装着者へ聞こえることとなり、不快感を増大させる虞があった。
【００１０】
本発明はこのような事情を考慮してなされたもので、その目的は、体裁が良好で脱臭効率ないし作業効率が高い脱臭機を提供することにある。
【課題を解決するための手段】
【００１１】
請求項１記載の発明は、移動手段が設けられた台車と；この台車の下部に搭載されて、本体吸込口から空気を吸い込み、その吸込空気を脱臭する脱臭装置を内蔵する脱臭機本体と；この脱臭機本体よりも上方の台車の上部に搭載されて、上記脱臭機本体の本体吸込口に連通し、空気を吸い込む吸込口を有する吸込部と；を具備していることを特徴とする脱臭機である。
【００１２】
請求項２記載の発明は、上記吸込部は、上記本体吸込口に対し、その中心軸回りに回転可能に構成された吸気ダクトを具備していることを特徴とする請求項１記載の脱臭機である。
【００１３】
請求項３記載の発明は、上記本体吸込口は、延長管を介して上記吸気ダクトに接続され、この吸気ダクトに接続される当該延長管の接続端部は、上記台車の長手方向の両端部側に、それぞれ配設されていることを特徴とする請求項２記載の脱臭機である。
【００１４】
請求項４記載の発明は、上記吸込部は、その吸込口近傍にて吸気ファンを配設していることを特徴とする請求項１〜３のいずれか一記載の脱臭機である。
【００１５】
請求項５記載の発明は、上記吸込口部は、その吸気口端部に設けた椀状のフードと；このフードの開口端にその周方向に回動可能に装着されて、この開口端から垂下し、このフードの周方向一部側を覆うカバーと；を具備していることを特徴とする請求項１〜４のいずれか一記載の脱臭機である。
【発明の効果】
【００１６】
本発明によれば、脱臭効率ないし作業効率を共に向上させることができる。
【発明を実施するための最良の形態】
【００１７】
以下、本発明の実施形態を添付図面に基づいて説明する。これら添付図面中、同一または相当部分には同一符号を付している。
【００１８】
図１は本発明の一実施形態に係る脱臭機１の正面図、図２は同右側面図、図３は同斜視図である。
【００１９】
脱臭機１は、台車の一例である金属製等のフレーム構造の手押し車２の下部に、重量の重い脱臭機本体３を配設する一方、手押し車２の上部に、重量が脱臭機本体３よりも比較的軽い吸込部４を配設している。
【００２０】
手押し車２は従来おむつや身体の拭取り用タオル等の医療用品や薬品等を搬送するために使用されていた手押し車等である。脱臭機本体３が配設される下部とは、手押し車２を高齢者等おむつ装着者のベッドの横に横付けしたときに、そのベッドの寝床面よりも下方の位置に対応する部分であり、手押し車２の上部とは、そのベッドの寝床面よりも上方ないしその近傍の位置に対応する部分である。
【００２１】
手押し車２は金属製等の長方形の底板２ａの各隅角部に例えば４本の支柱２ｂ，２ｂ，…を垂直方向にそれぞれ立設し、これらの各支柱２ｂの底部にはキャスタ２ｃをそれぞれ同軸状に固着している。
【００２２】
手押し車２は、４本の支柱２ｂ，２ｂ，…の軸方向上端部には、例えば合成樹脂製の透明長方形板の天板２ｄを底板２ａとほぼ並行に固着している。この天板２ｄと底板２ａとの中間部には、金属製等の中段網棚２ｅを配設しており、この中段網棚２ｅの各隅角部を４本の支柱２ｂの内周部にそれぞれ固着している。
【００２３】
手押し車２は、その長手方向一端（手押し車２の後進側一端であり、図１では左端側）の２本の支柱２ｂ，２ｂの上部外面に、平面形状がほぼコ字状の金属製等の取手２ｆの各コ字状端部を装着している。
【００２４】
また、この取手２ｆの下方にて、例えば合成樹脂製等のごみ箱５を出入自在に収容する、図中上端が開口の金属製フレーム構造の箱受け部２ｇを、後端側の２本の支柱２ｂ，２ｂの下部外面に固着している。ごみ箱５には、例えば使用済のおむつ等の廃棄物が収容され、臭気成分が外部にリークしないように密閉可能に構成されている。
【００２５】
このように構成された手押し車２の底板２ａ上には、その後部側にて上記脱臭機本体３を載置しており、この脱臭機本体３の図中上端部は中段網棚２ｅの平面四角形の角孔から上方へ若干突出している。
【００２６】
中段網棚２ｅはその前部に、角筒袋状の用品箱６を着脱自在に装着し、用品箱６の開閉自在の図示しない上蓋に対応して、網棚２ｅの一部が開閉し得るようになっている。
【００２７】
用品箱６内には、おむつ交換時の新しいおむつや、身体を拭き取り清浄するためのタオルやおしぼり、薬品等おむつ交換に必要な用品等を収納する箱である。
【００２８】
図４は上記脱臭機本体３の側面図、図５は同平面図、図６は図４のＶＩ−ＶＩ線断面図である。これらの図に示すように脱臭機本体３は金属製または合成樹脂製の密閉角筒状の本体ケース３ａの天板３ａ１部のほぼ中央部に、両端開口の短管状の本体吸込口部３ｂを配設し、その側方にて電源スイッチ３ｃやそのオンオフ状態を示すランプ３ｄ等の操作具を配設した操作パネル３ｅを天板３ａ１上に設けている。
【００２９】
図６に示すように脱臭機本体３は、本体ケース３ａ内に脱臭装置を内蔵している。すなわち、脱臭機本体３は本体吸込口部３ｂ側の図６中上部から下方に向けて、防塵フィルター３ｆ、光触媒フィルター３ｇ、冷陰極殺菌ランプ３ｈ、活性炭フィルター３ｉ、左右一対の吸気ファン３ｊ，３ｊを、この順に各々所要の間隔を置いて多段に配設し、本体ケース３ａの図６中左右一対の側板３ａ２，３ａ３に排気口３ｋ，３ｋをそれぞれ穿設している。但し、これら排気口３ｋ，３ｋは本体ケース３ａ下部の手押し車２の前進方向前方の前面板３ａ４（図４参照）または、後面側の後面板３ａ５の一方、または両者に設けてもよい。
【００３０】
上記防塵フィルター３ｆは通風中の塵埃等を捕捉して浄化するエアーフィルターであり、光触媒フィルター３ｇは冷陰極殺菌ランプ３ｈの点灯により発するオゾンや紫外線により励起されて通風中の臭気成分や有機物を分解して浄化脱臭するエアーフィルターである。
【００３１】
冷陰極殺菌ランプ３ｈはその点灯によりオゾンや紫外線を発生させ、そのオゾンの強力な酸化力により通風中の雑菌等の菌類を殺菌して臭気成分を脱臭するランプであり、特に排泄物臭に含まれるアンモニアの脱臭に効果的である。活性炭フィルター３ｉも臭気成分を吸着捕捉して脱臭すると共に、余剰のオゾンを吸着するフィルターである。
【００３２】
これら活性炭フィルター３ｉ、防塵フィルター３ｆ、光触媒フィルター３ｇ、冷陰極殺菌ランプ３ｈは、本体ケース３ａの前面板３ａ４または後面板３ａ５に設けた図示省略した開閉可能の開閉扉を開けて、随時交換し得るようになっている。
【００３３】
また、図４に示すように本体ケース３ａ内には、後面板３ａ５側にて冷陰極殺菌ランプ３ｈの点灯用のインバータ３ｌ、このインバータ３ｌや吸気ファン３ｊ用の電源装置３ｍ、トランス３ｎをそれぞれ配設している。電源装置３ｍは電源コード３０を介して商用電源に接続される電源装置であるが、充電可能のバッテリー装置でもよい。
【００３４】
そして、図３にも示すように天板２ｄは、その後端部の幅方向ほぼ中間部にて、短管状の連結用吸込管７を板厚方向に貫通させて埋設している。この連結用吸込管７はその下方に突出する突出下端部７ａに、延長管として撓曲可能で例えば透明のベローズホース８の上端部を着脱可能に装着している。このベローズホース８はその図中下端部を本体ケース３ａの本体吸込口部３ｂに着脱可能に装着している。したがって、連結用吸込管７は延長管であるベローズホース８の接続端部を構成する。
【００３５】
一方、連結用吸込管７は、その上方へ突出する突出上端部７ｂに、吸込部４の一端部をその中心軸回りに回転可能かつ着脱自在に装着している。
【００３６】
吸込部４は、複数本、例えば４本の吸込ダクト４ａ，４ｂ，４ｃ，４ｄを、複数個（例えば３個）の、球関節を有するボールジョイント９ａ，９ｂ，９ｃにより３次元に屈曲可能に連結することにより、多関節アームに構成されており、屈曲されると、その屈曲状態を保持するように構成されている。各ボールジョイント９ａ〜９ｃには、その球関節部をその外面両側から締め付けて、その３次元の回動を固定することにより、その回動角（屈曲角）を保持させる締付ねじ１０ａ，１０ｂ，１０ｃをそれぞれ設けている。
【００３７】
吸込部４は、その基端側にある基端吸込ダクト４ａの下端部を連結用吸込管７の上端部に、その中心軸回りに回転可能かつ着脱可能に装着している。
【００３８】
一方、吸込部４の先端側にある先端吸込ダクト４ｄは、他の吸込ダクト４ａ〜４ｃよりも若干大径に形成されている。この先端吸込ダクト４ｄはその先端の図示しない吸込口にて、図示しない小形の先端部吸込ファンを内蔵している。また、先端吸込ダクト４ｄの外面には、この先端部吸込ファンと共に、脱臭機本体３の駆動をオンオフ制御する手元スイッチを設けている。
【００３９】
そして、先端吸込ダクト４ｄはその吸込側先端に、例えば透明合成樹脂製で、この吸込ダクト４ｄよりも大径で椀状の吸込フード１１を、その中心孔の吸込口と同心状に取り付けている。
【００４０】
吸込フード１１は、その外周面の適宜箇所に、所要形状、例えばコ字状の取手１２のコ字状両端を固着する一方、吸込フード１１の開口端に、下方に垂下する柔軟な遮蔽カバー１３を周方向に移動可能に設けている。遮蔽カバー１３はその周方向の長さが吸込フード１１の全周の一部に形成され、その上下方向の長さは所要長に形成されている。遮蔽カバー１３には、吸込フード１１の開口端周方向に移動させる際に摘むための摘み（図示省略）を設けている。
【００４１】
次に、このように構成された脱臭機１の使用方法ないし作用効果について説明する。
【００４２】
まず、看護人等は手押し車２の取手２ｆを把持して手押し車２を、これからおむつ交換しようとするおむつ装着者のベッドの横に横付けする。
【００４３】
次に、吸込フード１１の取手１２を把持しておむつ装着者のおむつ上方等所要箇所に吸込フード１１を位置決めし、さらに、遮蔽カバー１３の摘みをもって、この遮蔽カバー１３を周方向に移動させ、目隠しする方向に位置決めする。
【００４４】
この後、先端吸込ダクト４ｄの図示しない手元スイッチをオンして先端部吸込ファンと脱臭機本体３を駆動する。
【００４５】
この状態で看護人がおむつ装着者のおむつ交換作業を開始すると、この際に発生する排泄物からの臭気等を含む空気が先端吸込ダクト４ｄの先端吸込ファンと、脱臭機本体３の吸込ファン３ｊ，３ｊとの両吸込力により、吸込フード１１内に吸い込まれ、以後、各吸込ダクト４ｃ，４ｂ，４ａおよびベローズホース８をこの順に順次経て本体吸込口３ｂから脱臭機本体３内へ吸い込まれる。
【００４６】
この脱臭機本体３内へ吸い込まれた臭気を含む空気は、まず防塵フィルター３ｆを通風して空気中の塵埃等が捕捉されて浄化され、次段の光触媒フィルター３ｇにより臭気等有機物が分解されて脱臭される。
【００４７】
さらに、臭気を含む空気は冷陰極殺菌ランプ３ｈからのオゾンと紫外線により脱臭され、特に排泄物の臭気に含まれるアンモニアがオゾンにより強力に脱臭され、さらに活性炭フィルター３ｉを通風する際にも脱臭される。この脱臭された空気は排気口３ｋから外部、すなわち室内へ排気される。
【００４８】
したがって、この脱臭機１によれば、手押し車２の下部であって、その後端側に、複数の吸込ファン３ｊや電源装置３ｍ、トランス３ｎ等脱臭装置の重量物を内蔵するために比較的重い脱臭機本体３を搭載する一方、比較的軽い吸込部４を手押し車２の後端部上部に搭載しているので、手押し車２の下部に重心が位置して手押し車２の走行安定性と操舵性とを共に向上させることができる。
【００４９】
また、脱臭機本体３はベッド寝床面より下方に位置するので、おむつ装着者からは見えず見栄え等の体裁を向上させることができるうえに、脱臭機本体３の排気口３ｋがベッドの下方に位置するので、この排気口３ｋから室内へ排気される排気がベッドの下方へ排出される。このために、排気がおむつ装着者に吹き掛けられて不快感を与えるのを防止することができるうえに、排気口３ｋの設置箇所の自由度を向上させることができる。
【００５０】
さらに、駆動音を主に発生させる脱臭機本体３をベッド寝床面よりも下方に位置する手押し車２の下部に配設したので、この脱臭機本体３の騒音がベッド上のおむつ装着者に直接聞かれて不快感が増大するのを抑制ないし低減することができる。
【００５１】
そして、吸込部４が、ベッド寝床面よりも上方に位置すると共に、手押し車２の天板２ｄに固着された連結用吸込管７に対し、その中心軸回りに回転可能であるので、手押し車２の向きを変えずに吸込フード１１の取手１２を把持して、その向きと高さを適宜調節することができる。また、この吸気フード１１の向きや高さを調節する際にも、手押し車２の下部に重量物の脱臭機本体３があるために安定しているので、その向きや高さの調節を容易かつ迅速に行なうことができる。
【００５２】
また、吸込フード１１がベッド寝床面よりも上方に位置するので、この吸込フード１１をベッド上のおむつ装着者に対し上方からアクセスし、位置決めすることができる。このために、吸込フード１１がおむつ装着者に干渉するのを防止することができるので、吸込フード１１の位置決めをさらに迅速かつ的確に行なうことができ、おむつ交換作業効率と脱臭効率を共に向上させることができる。
【００５３】
また、一旦、吸込フード１１を位置決めすると、各ボールジョイント９ａ〜９ｃはその回動角を保持するので、その吸込フード１１の位置を手放しでも保持することができる。
【００５４】
このために、看護人は吸込フード１１を支持する必要がないので、両手でおむつ交換作業を行なうことができる。したがって、おむつ交換作業の作業性を向上させることができる。
【００５５】
そして、天板２ｄ上には、その後部にて、吸込部４の基端吸込ダクト４ａのみを配設しているので、この天板２ｄ上の上面上を、おむつ交換作業に必要な新しいおむつや拭き取り用等のタオル、用品等の殆どを用品箱６から予め出しておいて置くスペースないし作業台として広く使用することができる。このために、おむつ交換作業性を向上させることができる。
【００５６】
すなわち、おむつ交換作業に必要な新しいおむつやタオル等を、その作業前に、天板２ｄ上に予め置いておくことにより、看護人がおむつ装着者からおむつを外してタオルで身体を拭いて新たなおむつを再び取り付けるという一連のおむつ交換作業を行う際には、看護人はおむつ交換に必要な新しいおむつやタオル等の殆どを天板２ｄ上から取り出す一方、使用済みのおむつを天板２ｄ上に仮置きすることができる。このために、看護人は新しいおむつ等を必要とする度に屈んで用品箱６から取り出す回数を減少させることができるので、看護人の作業負担を軽減させることができる。
【００５７】
さらに、吸込部４は、その基端吸込ダクト４ａを手押し車２の後部の幅方向中央部に立設しているので、手押し車２の幅方向の安定性を向上させることができる。
【００５８】
また、吸込フード１１が椀状透明であるので、看護人はこの吸込フード１１をおむつ装着者に近接させ、この透明の吸込フード１１を通して看護人の手元やおむつ装着者のおむつを透視しながらおむつ交換作業を進めることができるので、その作業効率とスポット脱臭の効率を共に向上させることができる。
【００５９】
すなわち、吸込フード１１が椀状であるので、臭気発生源の上方の外周を取り囲み、その外周囲に拡散するのを低減して強力な吸込力により逸早く吸込み、かつ吸込フード１１をおむつ装着者の臭気発生源上方に近付けることができるので、スポット（局所）脱臭の効率をさらに向上させることができる。
【００６０】
さらに、脱臭機本体３の主吸込ファン３ｊと共に、吸込フード１１の吸込口近傍にも先端部吸込ファン（図示省略）を設けているので、これら複数の吸込ファン３ｊによる臭気を含んだ空気の吸込力を増強させ、その吸込効率を向上させることができる。
【００６１】
すなわち、一般に空気を吸引する場合、フィルターなどでの圧損が大きいと、吸込ファンの前後での圧力差が大きくなり送風能力が低下する。そこで、本発明のようにフィルターの前に別の吸込ファン（先端部吸込ファン）を主吸込ファン３ｊに追加することにより各フィルター３ｆ，３ｇ，３ｉへ空気を押し付けることができるので、主吸込ファン３ｊの吸引性能を高めることができる。この追加する先端部ファンは吸込ダクト４ａ〜４ｄのいずれかの内部に設置してもよいが、吸込フード１１の吸込口近傍に設置することにより、その椀状の吸込口の内面に沿って吸込口に至る空気の流れが発生するため、先端部吸込ファンが無い場合に比べて拡散しようとする臭気を先端部吸込ファンに集中させて吸引できる。
【００６２】
図７は本発明の第２の実施形態に係る脱臭機１Ａの正面図である。この脱臭機１Ａは、上記第１の実施形態に係る脱臭機１において、手押し車２の天板２ｄの後端側に設けた連結用吸込管７とは別に、これと同一構成の連結用吸込管１７を前部連結用吸込管１７として天板２ｄの前端側にも設け、これら前，後端側両連結用吸込管７，１７のいずれかに、吸込部４を連結するか、適宜選択し得るように構成した点に特徴がある。このために、前部連結用吸込管１７を脱臭機本体３の本体吸込口３ｂに着脱自在に連結する長いベローズホース１８を具備している。
【００６３】
したがって、高齢者看護施設等施設の構造やベッドの位置等に応じて、吸込部４を手押し車２の前部と後部のいずれにも適宜設けることができる。このために、仮に吸込部４が取手２ｆ側の前部にある場合には、ベッドへ手押し車２を横付けしたときに、看護人が天板２ｄ上のおむつやタオル等の物を取る時に吸込部４が邪魔になるが、吸込部４が前端側にある場合には天板２ｄ上のおむつやタオル等の物が取り易いので、おむつ交換作業効率を向上させることができる。
【００６４】
図８は本発明の第３の実施形態に係る脱臭機１Ｂの正面図である。この脱臭機１Ｂは、上記第１，第２の実施形態において、手押し車２の天板２ｄの左右一対の長辺部２ｄ１，２ｄ２の若干内側にて、左右一対の遮蔽プレート１４，１５を出没可能に設けた点に特徴がある。
【００６５】
遮蔽プレート１４，１５は、合成樹脂製等不透明の長方形板の本体プレート１４ａ，１５ａと、これら本体プレート１４ａ，１５ａの図中上端部にて、その水平方向外方へ突出するように一体ないし一体的に形成されて鉤状に形成するストッパ１４ｂ，１５ｂと、各本体プレート１４ａ，１５ａの内面または外面の下部に突設された図示しない複数の係止突部とを備えている。
【００６６】
一方、手押し車２はその天板２ｄの左右一対の長辺部２１ｄ１，２１ｄ２の若干内側において、遮蔽プレート１４，１５の本体プレート１４ａ，１５ａが出入し得るが、各ストッパ１４ｂ，１５ｂの幅寸法よりも小さい長方形の角孔よりなる係止孔１６ａ，１６ｂを穿設し、各ストッパ１４ｂ，１５ｂは係止孔１６ａ，１６ｂ内に挿通されず、係止孔１６ａ，１６ｂの上端開口上で係止するようになっている。この係止孔１６ａ，１６ｂは遮蔽プレート１４，１５の長手方向長さよりも若干長く形成される一方、係止孔１６ａ，１６ｂの長手方向に沿う一側縁には、本体プレート１４ａ，１５ａの一面に突設された上記複数の係止突部を挿通させる挿通切欠を形成している。
【００６７】
したがって、各遮蔽プレート１４，１５は、通常、その本体プレート１４ａ，１５ａが天板２ｄの係止孔１６ａ，１６ｂ内を貫通して下方へ垂下し、各ストッパ１４ｂ，１５ｂが各係止孔１６ａ，１６ｂの開口上端上に係止されている。
【００６８】
そこで、このストッパ１４ｂ，１５ｂを摘んで天板２ｄ上方に引き上げ、本体プレート１４ａ，１５ａに突設された係止突部を係止孔１６ａ，１６ｂの挿通切欠を挿通させてから、本体プレート１４ａ，１５ａを各係止孔１６ａ，１６ｂに対して横方向（係止孔１６ａ，１６ｂの長手方向）へずらすことにより本体プレート１４ａ，１５ａの突部を係止孔１６ａ，１６ｂの挿通切欠からずらす。
【００６９】
これにより、遮蔽プレート１４，１５が自重により落下しようとしても本体プレート１４ａ，１５ａの係止突部が係止孔１６ａ，１６ｂの側縁に係止されて遮蔽プレート１４，１５が天板２ｄ上に立設され、その立設状態が保持される。
【００７０】
一方、遮蔽プレート１４，１５を係止孔１６ａ，１６ｂ内に挿入する場合は、遮蔽プレート１４，１５を係止孔１６ａ，１６ｂの長手方向一方へずらし、遮蔽プレート１４，１５の係止突部を係止孔１６ａ，１６ｂの挿通切欠に一致させる。
【００７１】
すると、遮蔽プレート１４，１５の係止突部が係止孔１６ａ，１６ｂの挿通切欠を挿通して下方へ落下し、遮蔽プレート１４，１５の鉤状ストッパ１４ｂ，１５ｂが係止孔１６ａ，１６ｂの開口上端上に係止される。すなわち、遮蔽プレート１４，１５の本体プレート１４ａ，１５ａが天板２ｄよりも下方に落下し、ストッパ１４ｂ，１５ｂが係止孔１６ａ，１６ｂに係止されて、天板２ｄから垂下される。
【００７２】
したがって、おむつ交換作業時、遮蔽プレート１４，１５の少なくとも一方を天板２ｄ上に立設させることにより、周囲のおむつ装着者の視線を遮蔽することができ、おむつ交換されているおむつ装着者の羞恥心を緩和させることができる。
【図面の簡単な説明】
【００７３】
【図１】本発明の第１実施形態に係る脱臭機の正面図。
【図２】図１で示す脱臭機の右側面図。
【図３】図１で示す脱臭機の斜視図。
【図４】図１で示す脱臭機本体の拡大側面図。
【図５】図１で示す脱臭機本体の平面図。
【図６】図４のＶＩ−ＶＩ線断面図。
【図７】本発明の第２実施形態に係る脱臭機の斜視図。
【図８】本発明の第３実施形態に係る脱臭機の斜視図。
【符号の説明】
【００７４】
１，１Ａ，１Ｂ…脱臭機、２…手押し車、２ａ…手押し車の底板、２ｂ…手押し車の支柱、２ｃ…手押し車のキャスタ、２ｄ…手押し車の天板、２ｅ…中段網棚、２ｆ…手押し車の取手、２ｇ…ごみ箱受け、３…脱臭機本体、３ｂ…本体吸込口部、３ｅ…脱臭機本体の操作パネル、３ｆ…防塵フィルター、３ｇ…光触媒フィルター、３ｈ…冷陰極殺菌ランプ、３ｉ…活性炭フィルター、４…吸込部、４ａ〜４ｄ…吸込ダクト、７…連結用吸込管、８…ベローズホース、９ａ，９ｂ，９ｃ…ボールジョイント、１０…締付ねじ、１１…吸込フード、１２…吸込フードの取手、１３…遮蔽カバー、１４，１５…遮蔽プレート、１６ａ，１６ｂ…係止孔、１７…前部連結用吸込管、１８…前部用ベローズホース。
【図１】
2005185696.tif 000003
【図２】
2005185696.tif 000004
【図３】
2005185696.tif 000005
【図４】
2005185696.tif 000006
【図５】
2005185696.tif 000007
【図６】
2005185696.tif 000008
【図７】
2005185696.tif 000009
【図８】
2005185696.tif 000010